(57)【要約】【課題】サイドプレートに対する搬送ローラ部材の取り外し作業性に優れた、画像読取装置及びシート搬送装置を提供する。【解決手段】下フレーム３２に対して右側には、サイドプレート８２が設けられている。サイドプレート８２には、右軸受保持孔８８が形成されている。右軸受保持孔８８には、右軸受８４が保持されている。ＬＦローラ軸７１の一方側の端部は、右軸受８４に回転可能に保持される。右軸受保持孔８８は、ＬＦローラ軸７１の軸線方向と直交する方向に延びている。これにより、右軸受保持孔８８から右軸受８４が取り外された状態で、ＬＦローラ軸７１を右軸受保持孔８８内で移動させることができる。ＬＦローラ軸７１を右軸受保持孔８８内で移動させることにより、ＬＦローラ部材７２のＬＦローラ６２を開口７３に対して収容および離脱させることができる。【選択図】図６
2013137536.tif 000002
【特許請求の範囲】
【請求項１】
軸と、
前記軸に取り付けられ、前記軸の軸線方向の周りに回転するローラと、
前記ローラが配置される開口が形成されたガイドと、
第１サイドプレートと、第１軸受部材と、第２サイドプレートと、第２軸受部材と、読取部と、を備え、
前記第１サイドプレートは、前記軸線方向において前記ガイドに対し一方側に設けられ、
前記第１サイドプレートは、フレーム部と第１孔とを備え、
前記フレーム部は、第１フレーム部と一対の第２フレーム部と第３フレーム部とを備え、
前記一対の第２フレーム部は、前記第１フレーム部から前記軸線方向に垂直な延出方向に延出し、
前記第３フレーム部は、前記一対の第２フレーム部に連結し、
前記第１孔は、前記フレーム部に囲まれて形成され、
前記軸の前記軸線方向における前記一方側の端部は前記第１孔に挿入され、
前記第１軸受部材は、前記第１孔に嵌合し、
前記第１軸受部材は、軸受部と係合部とを備え、
前記軸受部は、前記第１フレーム部と当接し、
前記軸受部は、前記軸の前記軸線方向における前記一方側の端部を回転可能に保持し、
前記係合部は、前記軸受部から前記延出方向に延出し、
前記係合部は、前記第１サイドプレートに係合し、
第２サイドプレートは、前記軸線方向において前記ガイドに対し他方側に設けられ、
第２サイドプレートは、第２孔を備え、
前記軸の前記軸線方向における他方側の端部は、前記第２孔に挿入され、
第２軸受部材は、前記第２サイドプレートに設けられ、
第２軸受部材は、前記軸の前記軸線方向における前記他方側の端部を回転可能に保持する、画像読取装置。
【請求項２】
前記一対の第２フレーム部の間の前記延出方向及び前記軸線方向に垂直な幅方向における幅は、前記軸の直径より大きい、請求項１に記載の画像読取装置。
【請求項３】
前記第１軸受部材は、前記延出方向に延出する板状部と、前記板状部から前記幅方向に突出する突出部を備え、前記突出部は、前記一対の第２フレーム部に前記軸線方向の前記一方側から当接する、請求項２に記載の画像読取装置。
【請求項４】
前記第１軸受部材は、突起を備え、前記突起は、前記板状部から前記軸線方向における前記他方側に向けて突出し、前記延出方向に延出する、請求項３に記載の画像読取装置。
【請求項５】
前記軸受部は、フランジと軸挿通部とを備え、前記フランジは、前記軸挿通部の周りにおいて延出し、前記フランジは、前記第１フレーム部に前記第１方向における前記一方側から当接し、前記軸挿通部は、円筒形状であり、前記軸は、前記軸挿通部に挿通される、請求項１〜４のいずれか一項に記載の画像読取装置。
【請求項６】
前記軸の前記軸線方向における前記一方側の端部は、前記軸線周りに形成された溝を備え、前記軸挿通部は、前記溝に係合する爪を備える、請求項５記載の画像読取装置。
【請求項７】
前記軸受部及び前記係合部は一体形成されている、請求項１〜６のいずれか一項に記載の画像読取装置。
【請求項８】
前記ガイド、前記第１サイドプレート及び前記第２サイドプレートは、一体形成されている請求項１〜７のいずれか一項に記載の画像読取装置。
【請求項９】
軸および前記軸に取り付けられたローラを有し、前記ローラの周面に接触するシートを搬送するための搬送ローラ部材と、
前記シートの搬送をガイドするように構成され、前記ローラの周面の一部がガイド面から突出した状態に前記ローラを収容する収容部を有するガイド部と、
前記ガイド部に対して前記軸の軸線方向の一方側に設けられ、前記軸線方向と直交する方向に延びる軸受保持孔が形成されたサイドプレートと、
前記軸の前記一方側の端部を回転可能に保持し、前記軸受保持孔に保持される軸受部材とを含む、シート搬送装置。
【請求項１０】
前記軸受部材は、前記軸が挿通される筒状の軸挿通部と、前記軸受保持孔に係合する係合部とを有し、
前記軸受保持孔は、前記軸挿通部が嵌合される被嵌合部と、前記被嵌合部から前記軸線方向と直交する方向に延び、その延出方向と直交する方向に前記軸の直径よりも大きい幅を有し、前記係合部が係合される延出部とを有している、請求項９に記載のシート搬送装置。
【請求項１１】
前記軸受部材は、前記軸挿通部の周囲に張り出し、前記サイドプレートにおける前記軸受保持孔の前記被嵌合部に前記軸線方向の前記一方側から当接する鍔状部を有している、請求項１０に記載のシート搬送装置。
【請求項１２】
前記軸受部材は、延出方向に延出する板状部と、前記板状部から前記延出方向と直交する方向に突出し、前記サイドプレートにおける前記軸受保持孔の前記延出部に前記軸線方向の前記一方側から当接する突出部を有している、請求項１０または１１に記載のシート搬送装置。
【請求項１３】
前記軸受部材は、前記板状部から前記軸線方向の前記一方側と反対側に突出し、前記延出方向に延びる板状のリブを有している、請求項１２に記載のシート搬送装置。
【請求項１４】
前記軸受部材は、前記軸挿通部と前記係合部とが一体に成形された一体成形品である、請求項１０〜１３のいずれか一項に記載のシート搬送装置。
【請求項１５】
前記軸の周面には、被係止溝が全周にわたって形成されており、
前記軸受部材は、前記被係止溝に係止する係止爪を有している、請求項９〜１４のいずれか一項に記載のシート搬送装置。
【請求項１６】
前記ガイド部と前記サイドプレートとは、一体に成形されている、請求項９〜１５のいずれか一項に記載のシート搬送装置。
【発明の詳細な説明】
【技術分野】
【０００１】
本発明は、シートの画像を読み取るための画像読取装置及びシートを搬送するためのシート搬送装置に関する。
【背景技術】
【０００２】
イメージスキャナやプリンタには、シートを搬送するシート搬送装置が備えられている。たとえば、イメージスキャナでは、画像読取部を経由するシート搬送路が設けられており、シート搬送装置により、シートがそのシート搬送路に沿って搬送される。
【０００３】
シート搬送装置には、シート搬送路に沿って延びるガイド部材と、軸および軸に取り付けられたローラを有する搬送ローラ部材とが備えられている。ガイド部材の両側には、サイドプレートが設けられている。ガイド部材は、両側のサイドプレートに保持されている。各サイドプレートには、円形孔が形成されており、円形孔には、軸受が嵌合されて保持されている。搬送ローラ部材は、軸の両端部が軸受に回転可能に挿通されることにより、両サイドプレート間に架設されている。
【０００４】
搬送ローラ部材が回転すると、ローラの周面に接触するシートにローラから搬送力が付与されて、シートがシート搬送路を搬送される。このとき、ガイド部材により、シートの搬送がガイドされる。
【先行技術文献】
【特許文献】
【０００５】
【特許文献１】特開平６−１５６７９６号公報
【発明の概要】
【発明が解決しようとする課題】
【０００６】
ローラの周面をシートと接触させるためには、ローラの周面の一部がガイド部材よりもシート搬送路側に突出していなければならない。たとえば、ローラに対応したサイズの開口をガイド部材に形成し、シート搬送路側と反対側から開口内にローラを配置することにより、ローラの周面の一部をガイド部材よりもシート搬送路側に突出させる構成が考えられる。
【０００７】
ところが、ガイド部材の開口内にローラが配置されていると、搬送ローラ部材の軸方向の移動量が軸方向におけるローラと開口の周縁との間の間隔に制限される。そのため、サイドプレートをガイド部材から取り外すことなく、搬送ローラ部材の軸をサイドプレートから抜くことはできない。したがって、搬送ローラ部材をサイドプレートに対して取り外すためには、少なくとも一方のサイドプレートをガイド部材から取り外さなければならず、搬送ローラ部材の取り外しに手間がかかる。
【０００８】
本発明の目的は、サイドプレートに対する搬送ローラ部材の取り外し作業性に優れた、画像読取装置及びシート搬送装置を提供することである。
【課題を解決するための手段】
【０００９】
前記の目的を達成するため、本発明に係る画像読取装置は、軸と、前記軸に取り付けられ、前記軸の軸線方向の周りに回転するローラと、前記ローラが配置される開口が形成されたガイドと、第１サイドプレートと、第１軸受部材と、第２サイドプレートと、第２軸受部材と、読取部と、を備え、前記第１サイドプレートは、前記軸線方向において前記ガイドに対し一方側に設けられ、前記第１サイドプレートは、フレーム部と第１孔とを備え、前記フレーム部は、第１フレーム部と一対の第２フレーム部と第３フレーム部とを備え、前記一対の第２フレーム部は、前記第１フレーム部から前記軸線方向に垂直な延出方向に延出し、前記第３フレーム部は、前記一対の第２フレーム部に連結し、前記第１孔は、前記フレーム部に囲まれて形成され、前記軸の前記軸線方向における前記一方側の端部は前記第１孔に挿入され、前記第１軸受部材は、前記第１孔に嵌合し、前記第１軸受部材は、軸受部と係合部とを備え、前記軸受部は、前記第１フレーム部と当接し、前記軸受部は、前記軸の前記軸線方向における前記一方側の端部を回転可能に保持し、前記係合部は、前記軸受部から前記延出方向に延出し、前記係合部は、前記第１サイドプレートに係合し、第２サイドプレートは、前記軸線方向において前記ガイドに対し他方側に設けられ、第２サイドプレートは、第２孔を備え、前記軸の前記軸線方向における他方側の端部は、前記第２孔に挿入され、第２軸受部材は、前記第２サイドプレートに設けられ、第２軸受部材は、前記軸の前記軸線方向における前記他方側の端部を回転可能に保持する。
【００１０】
第１孔を形成する一対の第２フレーム部が軸線方向と直交する延出方向に延びているので、第１孔から第１軸受部材が取り外された状態で、ローラの軸を第１孔内で移動させることができる。そして、軸を第１孔内で移動させることにより、ローラを開口に対して収容および離脱させることができる。そのため、ローラを第１サイドプレートに対して取り外すときに、第１サイドプレートをガイドに対して移動させる必要性を低減できる。よって、第１サイドプレートに対するローラの取り外し作業性に優れている。
【００１１】
前記の目的を達成するため、本発明に係るシート搬送装置は、軸および前記軸に取り付けられたローラを有し、前記ローラの周面に接触するシートを搬送するための搬送ローラ部材と、前記シートの搬送をガイドするように構成され、前記ローラの周面の一部がガイド面から突出した状態に前記ローラを収容する収容部を有するガイド部と、前記ガイド部に対して前記軸の軸線方向の一方側に設けられ、前記軸線方向と直交する方向に延び
る軸受保持孔が形成されたサイドプレートと、前記軸の前記一方側の端部を回転可能に保持し、前記軸受保持孔に保持される軸受部材とを含む。
【００１２】
シートを搬送するための搬送ローラ部材は、軸および軸に取り付けられたローラを有している。シートの搬送をガイドするガイド部は、ローラが収容される収容部を有している。ローラが収容部に収容された状態で、ローラの周面の一部がガイド面から突出する。
【００１３】
ガイド部に対して軸の軸線方向の一方側には、サイドプレートが設けられている。サイドプレートには、軸線方向と直交する方向に延びる軸受保持孔が形成されている。軸受保持孔には、軸受部材が保持されている。搬送ローラ部材の軸の一方側の端部は、軸受部材に回転可能に保持される。
【００１４】
軸受保持孔が軸線方向と直交する方向に延びているので、軸受保持孔から軸受部材が取り外された状態で、搬送ローラ部材の軸を軸受保持孔内で移動させることができる。そして、軸を軸受保持孔内で移動させることにより、搬送ローラ部材のローラを収容部に対して収容および離脱させることができる。そのため、搬送ローラ部材をサイドプレートに対して取り外すときに、サイドプレートをガイド部に対して移動させる必要性を低減できる。よって、サイドプレートに対する搬送ローラ部材の取り外し作業性に優れている。
【００１５】
軸受部材は、軸が挿通される筒状の軸挿通部と、軸受保持孔に係合する係合部とを備えていてもよい。この場合、軸受保持孔は、軸挿通部が嵌合される被嵌合部と、係合部が係合される延出部とを備える。そして、延出部は、被嵌合部から軸線方向と直交する方向に延び、その延出方向と直交する方向に軸の直径よりも大きい幅を有していることが好ましい。
【００１６】
これにより、軸受保持孔から軸受部材が取り外された状態で、搬送ローラ部材の軸を被嵌合部から延出部に進入させることができるので、軸を軸線方向と直交する方向に確実に移動させることができる。
【００１７】
軸受部材は、軸挿通部の周囲に張り出す鍔状部を有していることが好ましい。
【００１８】
鍔状部がサイドプレートにおける軸受保持孔の被嵌合部に軸線方向の一方側から当接することにより、軸受部材が軸線方向の一方側と反対側の他方側に移動することを規制できる。
【００１９】
また、軸受部材は、延出方向に延出する板状部と、板状部から延出方向と直交する方向に突出する突出部を有していることが好ましい。
【００２０】
突出部がサイドプレートにおける軸受保持孔の延出部に軸線方向の一方側から当接することにより、軸受部材が軸線方向の一方側と反対側の他方側に移動することを規制できる。
【００２１】
なお、延出方向と直交する方向には、延出方向と完全に直交する方向はもちろん、その完全に直交する方向に対して多少の角度で傾斜する方向も含まれる。
【００２２】
軸受部材は、板状部から軸線方向の一方側と反対側に突出し、延出方向に延びる板状のリブを有していることが好ましい。
【００２３】
リブが形成されていることにより、係合部の強度を増すことができる。
【００２４】
軸受部材は、軸挿通部と係合部とが一体に成形された一体成形品であってもよい。
【００２５】
これにより、軸受部材を組み立てる手間が不要である。また、部品点数を低減することができる。
【００２６】
軸の周面には、被係止溝が全周にわたって形成されており、軸受部材は、被係止溝に係止する係止爪を有していることが好ましい。
【００２７】
係止爪を被係止溝に係止させることにより、搬送ローラ部材の軸を軸受部材に対して軸線方向に位置決めすることができる。
【００２８】
ガイド部とサイドプレートとは、一体に成形されていることが好ましい。
【００２９】
これにより、部品点数を削減することができる。また、ガイド部およびサイドプレートの強度を増すことができる。
【発明の効果】
【００３０】
本発明によれば、サイドプレートをガイド部に対して移動させることなく、搬送ローラ部材をサイドプレートに対して取り外すことができる。
【図面の簡単な説明】
【００３１】
【図１】図１は、本発明の一実施形態に係るイメージスキャナ１の外観斜視図であり、前記イメージスキャナ１の非使用時の状態を示す。
【図２】図２は、前記イメージスキャナ１の外観斜視図であり、前記イメージスキャナ１の使用時の状態を示す。
【図３】図３は、前記イメージスキャナ１の断面図である。
【図４】図４は、前記イメージスキャナ１の下ユニット６の斜視図である。
【図５】図５は、図４に示される切断面線Ａ−Ａにおける前記下ユニット６の断面図である。
【図６】図６は、前記イメージスキャナ１の上ユニット５および前記下ユニット６の右側面図である。
【図７】図７は、前記イメージスキャナ１のＬＦローラ部材７２の斜視図である。
【図８】図８は、前記イメージスキャナ１の右軸受８４の右側から見た斜視図である。
【図９】図９は、前記右軸受８４の左側から見た斜視図である。
【図１０】図１０は、前記下ユニット６の底面の斜視図であり、前記ＬＦローラ部材７２および前記イメージスキャナ１の排出ローラ部材７５の取付け／取外しの途中の状態を示す。
【図１１】図１１は、前記イメージスキャナ１の右軸受保持孔８８の近傍の斜視図である。
【図１２】図１２は、前記下ユニット６の底面の斜視図であり、前記イメージスキャナ１のＬＦローラギヤ８７および左軸受８３が取り外された状態を示す。
【図１３】図１３は、前記イメージスキャナ１のＬＦローラ軸７１の右端部および前記右軸受８４の斜視図であり、ＬＦローラ軸７１の右端部が右軸受８４に保持された状態を示す。
【発明を実施するための形態】
【００３２】
以下では、本発明の実施の形態について、添付図面を参照しつつ詳細に説明する。
＜イメージスキャナの外観構成＞
【００３３】
図１に示されるように、イメージスキャナ１は、スキャナ本体２、供給トレイ３および排出トレイ４を備えている。
【００３４】
スキャナ本体２には、上ユニット５および下ユニット６が含まれる。スキャナ本体２の正面には、シート排出口７が上ユニット５および下ユニット６に跨がって形成されている。
【００３５】
なお、イメージスキャナ１を平面上に載置した状態で、そのイメージスキャナ１を正面側から見て、前後、左右および上下を規定する。そして、図１以降の各図では、図面の理解を助けるために、必要に応じて、その規定された方向を矢印で示す。
【００３６】
上ユニット５は、下ユニット６に対して、下ユニット６の前上端縁に沿って左右方向に延びる軸線を中心に揺動可能に結合されている。そして、上ユニット５は、揺動により、前方に下り傾斜した通常姿勢、すなわち図２に示される姿勢と、その通常姿勢から後端部が上方に持ち上がった非図示のメンテナンス姿勢とに変位可能である。上ユニット５がメンテナンス姿勢をなす状態では、上ユニット５と下ユニット６との間が開放され、シートのジャム処理やメンテナンスを行うことができる。
【００３７】
上ユニット５の上面には、図２に示されるように、操作表示部８が設けられている。操作表示部８には、複数の操作ボタン９およびパイロットランプ１０などが配置されている。
【００３８】
下ユニット６は、左端部および右端部に、それぞれ側面視台形状のサイドパネル１１を備えている。この１対のサイドパネル１１により、イメージスキャナ１の左右の側面が形成されている。上ユニット５が通常姿勢をなす状態で、１対のサイドパネル１１により、上ユニット５が左右から挟まれて、上ユニット５の左右の側面が覆われる。また、その状態で、上ユニット５の上面は、各サイドパネル１１の上端縁とほぼ同一の面内に配置される。
【００３９】
下ユニット６の後上端部において、左右方向の中央部１２Ｃの上面は、前下がりに傾斜している。中央部１２Ｃ上には、左右方向の中央に、略矩形板状の本体側案内部材１３が固定的に配置されている。
【００４０】
中央部１２Ｃの左方の左端部１２Ｌおよび右方の右端部１２Ｒは、中央部１２Ｃよりも上方に突出し、略直方体形状をなしている。上ユニット５が通常姿勢をなす状態で、左端部１２Ｌおよび右端部１２Ｒの上面は、上ユニット５の上面とほぼ面一をなす。左端部１２Ｌの右側面および右端部１２Ｒの左端面には、それぞれ左右方向に延びる同一直線上を左右方向の内側に向けて延びる非図示のトレイ支持軸が形成されている。
【００４１】
トレイの一例としての供給トレイ３は、２本のトレイ支持軸により、トレイ支持軸を支点に揺動可能に支持されている。供給トレイ３は、揺動により、スキャナ本体２の上面に上方から対向する収納姿勢、すなわち図１に示される姿勢と、下ユニット６の後上端部の中央部１２Ｃの傾斜角度とほぼ同じ傾斜角度でスキャナ本体２の後上端部から後上方に延びる使用姿勢、すなわち図２に示される姿勢とに変位可能である。また、供給トレイ３は、スキャナ本体２の平面形状とほぼ同形状の板状に形成されている。そのため、供給トレイ３が収納姿勢をなす状態で、スキャナ本体２の上面は、供給トレイ３によって覆い隠される。
【００４２】
供給トレイ３の内面、すなわち使用姿勢をなす状態で前上方に向く面には、略矩形板状のトレイ側案内部材１４が設けられている。トレイ側案内部材１４は、供給トレイ３が使
用姿勢をなす状態で、供給トレイ３の前端部であって、本体側案内部材１３の後方に固定的に配置されている。
【００４３】
供給トレイ３が使用姿勢をなす状態で、下ユニット６の後上端部の中央部１２Ｃの前方に、左右方向に延びる略矩形状のシート供給口１５が開放される。
【００４４】
供給トレイ３が使用姿勢をなす状態で、下ユニット６の後上端部の中央部１２Ｃおよび供給トレイ３上に跨がって、左右１対のシート幅ガイド部材１６が形成される。
【００４５】
各シート幅ガイド部材１６は、本体側ガイド部材１７とトレイ側ガイド部材１８とを有する。
【００４６】
本体側ガイド部材１７は、載置部１９および幅規制部２０を一体的に有している。載置部１９は、中央部１２Ｃの上面に沿って配置されている。載置部１９は、略矩形板状である。載置部１９は、本体側案内部材１３とほぼ同一形状に形成されている。幅規制部２０は、載置部１９の左右方向の外側端縁から載置部１９に直交して起立する。
【００４７】
なお、「直交」の概念には、９０°での交差はもちろん、９０°に多少の誤差を含む角度で交差する場合も含まれる。
【００４８】
トレイ側ガイド部材１８は、載置部２１および幅規制部２２を一体的に有している。載置部２１は、中央部１２Ｃの上面に沿って配置されている。載置部２１は、略矩形板状である。載置部２１は、トレイ側案内部材１４とほぼ同一形状に形成されている。幅規制部２２は、載置部２１の左右方向の外側端縁から載置部２１に直交して起立する。
【００４９】
本体側ガイド部材１７の幅規制部２０の後端部には、左右方向に延びる連結軸２３が突出して設けられている。連結軸２３の軸線は、供給トレイ３の揺動支点であるトレイ支持軸の軸線と一致している。トレイ側ガイド部材１８の幅規制部２２には、本体側ガイド部材１７の幅規制部２０の後端部と左右方向に重なる部分が形成されている。この重なる部分に、連結軸２３の先端部が挿通されている。これにより、供給トレイ３の揺動に伴って、トレイ側ガイド部材１８は、連結軸２３を中心に揺動する。そして、供給トレイ３が使用姿勢をなす状態で、本体側ガイド部材１７およびトレイ側ガイド部材１８が前後に並び、幅規制部２０，２２は、前後方向に延びるリブ状をなす。
【００５０】
１対のシート幅ガイド部材１６は、それらの間の中央をセンタ基準として、互いに同じ移動量で近接／離間可能に設けられている。
【００５１】
１対のシート幅ガイド部材１６が互いに最も近接した状態では、左右の幅規制部２０，２２の間の間隔が欧米名刺サイズの短辺の長さとほぼ同じ最小幅となる。そして、１対のシート幅ガイド部材１６の間において、本体側案内部材１３、トレイ側案内部材１４およびシート幅ガイド部材１６の載置部１９，２１上に跨がって、欧米名刺サイズのシートを載置することができる。
【００５２】
また、１対のシート幅ガイド部材１６が互いに最も離間した状態で、左右の幅規制部２０，２２の間の間隔がリーガルサイズの紙の短辺の長さとほぼ同じ最大幅となる。そして、１対のシート幅ガイド部材１６の間において、本体側案内部材１３、トレイ側案内部材１４およびシート幅ガイド部材１６の載置部１９，２１上に跨がって、リーガルサイズのシートの先端部、すなわち前端部を載置することができる。
【００５３】
欧米名刺サイズよりも大きく、リーガルサイズよりも小さいサイズのシートについては
、１対のシート幅ガイド部材１６を移動させて、左右の幅規制部２０，２２の間の間隔をシートの左右方向の幅に一致させることにより、本体側案内部材１３、トレイ側案内部材１４およびシート幅ガイド部材１６の載置部１９，２１上に載置することができる。
【００５４】
こうして、シートは、スキャナ本体２の下ユニット６の後上端部および供給トレイ３上に、左右方向の中央が１対のシート幅ガイド部材１６の間の中央、すなわちシート供給口１５の左右方向の中央と一致した状態にセットされる。
【００５５】
排出トレイ４は、略矩形板状に形成されている。排出トレイ４は、下ユニット６の最下部に収納された状態、すなわち図１に示される状態と、シート排出口７からスキャナ本体２の前方に引き出された状態、すなわち図２に示される状態とに変位可能に設けられている。排出トレイ４がスキャナ本体２の最下部に収納された状態では、図１に示されるように、排出トレイ４の前面２４がスキャナ本体２の前面２５とほぼ面一をなす。一方、排出トレイ４がスキャナ本体２の前方に引き出された状態では、図２に示されるように、排出トレイ４の上面２６がシート受け面として上方に開放される。
【００５６】
また、排出トレイ４の上面２６には、補助板２７が排出トレイ４の前端縁に沿った軸線まわりに揺動可能に設けられている。補助板２７は、揺動により、上面２６に対して倒伏した姿勢と、排出トレイ４がスキャナ本体２の前方に引き出された状態で、上面２６の前端部から前上方に延びる姿勢とに変位可能である。
＜イメージスキャナの内部構成＞
【００５７】
上ユニット５および下ユニット６は、図３に示されるように、それぞれ上フレーム３１および下フレーム３２を備えている。上フレーム３１の後端縁および下フレーム３２の後端縁により、シート供給口１５が形成されている。
【００５８】
上フレーム３１には、第１上ガイド部３３、上ＣＩＳ保持部３４および最終ガイド部３５が後側からこの順に連続して形成されている。
【００５９】
第１上ガイド部３３の下フレーム３２に対向する面、すなわち下面は、シートの搬送をガイドするガイド面３６である。ガイド面３６は、前下方に相対的に急な勾配で傾斜して延び、途中部で後下方に凸となるように湾曲し、前下方に相対的に緩やかな勾配で傾斜して延びている。
【００６０】
上ＣＩＳ保持部３４は、前上方に向かって凹む略長方形状の凹部として形成されている。上ＣＩＳ保持部３４には、上ＣＩＳユニット３７が嵌合されている。上ＣＩＳユニット３７は、コンタクトガラス３８を備えている。上ＣＩＳユニット３７は、コンタクトガラス３８を下フレーム３２側に向けた状態に設けられている。上ＣＩＳ保持部３４の底面と上ＣＩＳユニット３７との間には、コイルばね３９が介在されている。これにより、シートの厚さが大きい場合に、その厚さに応じて上ＣＩＳユニット３７が移動し、シートがコンタクトガラス３８と良好に接触しつつ搬送される。
【００６１】
最終ガイド部３５は、ガイド面３６の前端部とほぼ同じ傾斜角度で前下方に延びている。
【００６２】
下フレーム３２には、案内部４０、第１下ガイド部４１および下ＣＩＳ保持部４２が後側からこの順に連続して形成されている。
【００６３】
案内部４０の上面は、シートが載置される載置面である本体側案内部材１３、トレイ側案内部材１４およびシート幅ガイド部材１６の載置部１９，２１の各上面とほぼ同じ傾斜
角度で前下方に傾斜する略平面に形成されている。
【００６４】
第１下ガイド部４１の上フレーム３１に対向する面、すなわち上面は、シートの搬送をガイドするガイド面４３である。ガイド面４３と第１上ガイド部３３のガイド面３６との間には、間隔が空けられている。ガイド面４３は、ガイド面３６の湾曲に対応して、後下方に凸となるように湾曲し、ガイド面３６の前端部と平行をなして、前下方に延びている。
【００６５】
なお、「平行」の概念には、一方が他方に対して僅かに傾斜する場合や一方がごく緩やかに湾曲する場合も含まれる。
【００６６】
下ＣＩＳ保持部４２は、後下方に向かって凹む略長方形状の凹部として形成されている。下ＣＩＳ保持部４２には、下ＣＩＳユニット４４が嵌合されている。下ＣＩＳユニット４４は、コンタクトガラス４５を備えている。下ＣＩＳユニット４４は、コンタクトガラス４５を上フレーム３１側に向けた状態に設けられている。
【００６７】
また、下フレーム３２には、案内部４０および第１下ガイド部４１の左右方向の各中央部に跨がって、供給ローラ収容部４６が後下方に凹む凹部として形成されている。
【００６８】
供給ローラ収容部４６には、供給ローラ５１が回転可能に収容されている。供給ローラ５１の周面の一部は、案内部４０および第１下ガイド部４１の各上面から前上方に突出している。供給ローラ５１は、シートの搬送時に、右側から見て反時計回りに回転する。
【００６９】
案内部４０の上面とその上面から突出した供給ローラ５１の周面とに跨がるように、シート状ガイド５２が設けられている。シート状ガイド５２は、左右方向において、その中央が供給ローラ５１の左右方向の中央と一致するように配置されている。シート状ガイド５２は、フィルムからなる。シート状ガイド５２は、基端部が案内部４０の上面に固定され、遊端部が供給ローラ５１の周面に接触している。
【００７０】
供給ローラ５１の前上方には、規制部材５３、シート押さえ部材５４および分離片ユニット５５が設けられている。規制部材５３、シート押さえ部材５４および分離片ユニット５５は、上フレーム３１に取り付けられている。
【００７１】
規制部材５３は、シート状ガイド５２に対してシートの搬送方向の下流側に配置されている。規制部材５３は、供給ローラ５１側に尖った側面視略三角形状に形成されている。そして、規制部材５３は、図３に示される断面において、案内部４０の上面に沿って延びる直線と直交する供給ローラ５１の半径とほぼ同一直線上を延びる規制面５６を有している。
【００７２】
シート押さえ部材５４は、板ばねからなる。シート押さえ部材５４の基端部は、上フレーム３１の後端部に取り付けられる。シート押さえ部材５４の遊端部は、供給ローラ５１の周面に前上方から当接している。
【００７３】
分離片ユニット５５は、ゴムからなる分離部材の一例としての分離片５７を備えている。分離片５７は、規制部材５３に対して供給ローラ５１の回転方向の下流側に配置されている。分離片５７の表面は、ばね５８の付勢力により、供給ローラ５１の周面に弾性的に接触している。
【００７４】
第１上ガイド部３３および第１下ガイド部４１の各前端部には、それぞれＬＦローラ６１，６２が左右方向に延びる軸線を中心に回転可能に設けられている。ＬＦローラ６１の
周面の一部は、第１上ガイド部３３の前端部の下面（ガイド面３６）から後下方に突出している。また、ローラの一例としてのＬＦローラ６２の周面の一部は、第１下ガイド部４１の前端部の上面（ガイド面４３）から前上方に突出している。そして、ばね６３の付勢力により、ＬＦローラ６１の周面は、ＬＦローラ６２の周面に前上方から弾性的に接触している。
【００７５】
上フレーム３１の最終ガイド部３５および下フレーム３２の前端部には、それぞれ排出ローラ６４，６５が左右方向に延びる軸線を中心に回転可能に設けられている。排出ローラ６４の周面の一部は、最終ガイド部３５の下面から後下方に突出している。また、ローラの一例としての排出ローラ６５の周面の一部は、下フレーム３２の前端部の上面から前上方に突出している。そして、ばね６６の付勢力により、排出ローラ６４の周面は、排出ローラ６５の周面に前上方から弾性的に接触している。
＜イメージスキャナにおける画像の読取り＞
【００７６】
イメージスキャナ１では、シートの上面および下面に形成されている画像を選択的に読み取ることができる。また、イメージスキャナ１では、シートの両面に形成されている画像を並行して読み取ることができる。以下、シートの搬送および画像の読取りについて時系列的に説明する。
【００７７】
１対のシート幅ガイド部材１６の間の間隔が読取対象のシートの幅に合わされる。その後、読取対象のシートが１対のシート幅ガイド部材１６の間に後上方から差し込まれる。シートが本体側案内部材１３、トレイ側案内部材１４およびシート幅ガイド部材１６の載置部１９，２１上に載置される。このとき、シートの前端部は、本体側案内部材１３、トレイ側案内部材１４およびシート幅ガイド部材１６の載置部１９，２１上を滑る。シートの前端部は、シート供給口１５を通って、下フレーム３２の案内部４０上に移動する。さらに、シートの前端部は、案内部４０上を供給ローラ５１に向けて滑る。
【００７８】
複数枚のシートがセットされた場合、最下位置のシートの先端部における左右方向の中央部は、案内部４０からシート状ガイド５２上に移動する。シートの先端部における中央部は、シート状ガイド５２上を滑って、供給ローラ５１の周面上に導かれる。そして、最下位置のシートは、その先端部が分離片ユニット５５に接触すると、分離片ユニット５５との摩擦抵抗によって停止する。また、上側のシートは、その先端縁が規制部材５３の規制面５６に当接することによって停止する。これにより、シートのセットが完了する。
【００７９】
また、シートの進入により、シート押さえ部材５４の遊端部が持ち上げられ、シートの上面にシート押さえ部材５４が当接する。シート押さえ部材５４の付勢力により、最下位置のシートが供給ローラ５１の周面に押しつけられる。
【００８０】
供給ローラ５１が右側から見て反時計回りに回転すると、最下位置のシートと供給ローラ５１の周面との摩擦力により、最下位置のシートが供給ローラ５１の周面とともに移動する。また、最下位置のシートとその直上のシートとの摩擦力により、最下位置のシートにその上方のシートがつられて移動する。そして、それらのシートの先端が分離片５７の表面に当接すると、分離片５７により、上方のシートの移動が規制されて、最下位置のシートのみが分離片５７と供給ローラ５１の周面とのニップ部分を通過する。
【００８１】
分離片５７と供給ローラ５１の周面とのニップ部分を通過したシートは、第１上ガイド部３３のガイド面３６と第１下ガイド部４１のガイド面４３とに挟まれる搬送路をガイド面３６，４２にガイドされつつ搬送される。
【００８２】
シートの先端がＬＦローラ６１，６２のニップ部分に当接すると、ＬＦローラ６１，６
２の回転により、シートの先端部がそのニップ部分に引き込まれる。そして、シートの上面および下面にそれぞれＬＦローラ６１，６２の周面が接触し、ＬＦローラ６１，６２の周面からシートに搬送力が付与される。これにより、シートの搬送が続けられる。
【００８３】
その後、シートの搬送が進むと、シートの上面および下面がそれぞれ上ＣＩＳユニット３７のコンタクトガラス３８および下ＣＩＳユニット４４のコンタクトガラス４５と対向する。そして、コンタクトガラス３８，４５の光出射位置において、シートの上面および下面に光が照射される。シートの上面および下面での反射光がそれぞれ上ＣＩＳユニット３７および下ＣＩＳユニット４４に内蔵されたイメージセンサに受けられることにより、シートの上面および下面に形成されている画像の読取りが達成される。
【００８４】
シートの先端が排出ローラ６４，６５のニップ部分に当接すると、排出ローラ６４，６５の回転により、シートの先端部がそのニップ部分に引き込まれる。そして、シートの上面および下面にそれぞれ排出ローラ６４，６５の周面が接触し、排出ローラ６４，６５の周面からシートに搬送力が付与される。これにより、シートの搬送が続けられる。そして、シートの後端が排出ローラ６４，６５から離れると、シートは、排出トレイ４の上面２６に排出される。
＜ＬＦローラ部材および排出ローラ部材の構成および配置＞
【００８５】
搬送ローラ部材の一例としてのＬＦローラ部材７２は、２個のＬＦローラ６２およびＬＦローラ軸７１を備える。２個のＬＦローラ６２は、下ユニット６に設けられる。２個のＬＦローラ６２は、図４に示されるように、互いに左右方向に間隔を空けて設けられている。２個のＬＦローラ６２は、左右方向に延びる軸の一例としてのＬＦローラ軸７１に取り付けられている。２個のＬＦローラ６２は、ＬＦローラ軸７１の略中央部に取り付けられている。ガイド部の一例としての下フレーム３２の第１下ガイド部４１には、各ＬＦローラ６２に対応して、収容部の一例としての矩形状の開口７３が形成されている。
【００８６】
ＬＦローラ軸７１は、下フレーム３２の下方に配置されている。各ＬＦローラ６２は、開口７３内に配置されている。各ＬＦローラ６２の周面の上部は、下フレーム３２の上面であるガイド面４３から上方に突出している。
【００８７】
搬送ローラ部材の一例としての排出ローラ部材７５は、２個の排出ローラ６５および排出ローラ軸７４を備える。２個の排出ローラ６５は、下ユニット６に設けられる。２個の排出ローラ６５は、図４に示されるように、左右方向に互いに間隔を空けて設けられている。２個の排出ローラ６５は、左右方向に延びる軸の一例としての排出ローラ軸７４に取り付けられている。２個の排出ローラ６５は、排出ローラ軸７４の略中央部に取り付けられている。下フレーム３２の前端部は、下ＣＩＳ保持部４２の前端から前方に凸湾曲して下方に延びている。下フレーム３２の前端部の凸湾曲した部分の表面は、排出ローラ６４，６５（図３参照）によって排出されるシートをガイドするガイド面７６として機能する。そして、下フレーム３２の前端部の凸湾曲した部分には、各排出ローラ６５に対応して、収容部の一例としての矩形状の開口７７が形成されている。
【００８８】
排出ローラ軸７４は、下フレーム３２の下方に配置されている。各排出ローラ６５は、開口７７内に配置されている。各排出ローラ６５の周面の上部は、ガイド面７６から前方および上方に突出している。
＜ＬＦローラ部材および排出ローラ部材の保持構成＞
【００８９】
図５に示されるように、下フレーム３２の左右両側には、左右方向に互いに対向する１対のサイドプレート８１，８２が設けられている。下フレーム３２は、１対のサイドプレート８１，８２の上端間に配置されている。下フレーム３２および１対のサイドプレート８１，８２は、樹脂材料を用いて一体的に成形、すなわち一体形成されている。
【００９０】
ＬＦローラ部材７２は、１対のサイドプレート８１，８２間に架設されて、１対のサイドプレート８１，８２に保持されている。
【００９１】
ＬＦローラ軸７１の左端部および右端部は、それぞれ左軸受８３および軸受部材の一例としての右軸受８４に回転可能に挿通されている。
【００９２】
左側のサイドプレート８１の外側面には、プレート、たとえば、金属プレート８５が取り付けられている。左軸受８３は、金属プレート８５に形成された左軸受保持孔８６に嵌合されている。左軸受保持孔８６は、丸孔に形成されている。ＬＦローラ軸７１の左端部は、左軸受８３から左方に突出している。そして、ＬＦローラ軸７１の左軸受８３から突出した部分には、ＬＦローラギヤ８７がＬＦローラ軸７１と相対回転不能に取り付けられている。
【００９３】
右軸受８４は、図５，６に示されるように、右側のサイドプレート８２に形成された軸受保持孔の一例としての右軸受保持孔８８に嵌合されている。右軸受８４および右軸受保持孔８８については、後に詳述する。
【００９４】
排出ローラ部材７５は、１対のサイドプレート８１，８２間に架設されて、１対のサイドプレート８１，８２に保持されている。
【００９５】
排出ローラ軸７４の左端部は、金属プレート８５に保持された図１２に示す左軸受１２１に回動可能に挿通されて、左軸受１２１から左方に突出している。そして、排出ローラ軸７４の左軸受１２１から突出した部分には、図１２に示す排出ローラギヤ１２２が排出ローラ軸７４と相対回転不能に取り付けられている。
【００９６】
排出ローラ軸７４の右端部は、図６に示されるように、軸受部材の一例としての右軸受８９に挿通されている。右軸受８９は、右側のサイドプレート８２に形成された軸受保持孔の一例としての右軸受保持孔９０に嵌合されている。
【００９７】
右軸受８９および右軸受保持孔９０は、それぞれ右軸受８４および右軸受保持孔８８と同じ構成であるので、それらについての説明を省略する。図５以降の各図において、右軸受８９および軸受保持孔９０について、それぞれ右軸受８４および軸受保持孔８８の各部に相当する部分には、それらの各部と同一の参照符号が付されている。
＜ＬＦローラ軸＞
【００９８】
ＬＦローラ軸７１は、図７に示されるように、細長い丸棒状をなしている。
【００９９】
ＬＦローラ軸７１の左端部は、周面の一部が切り欠かれた断面Ｄ字状に形成されている。この断面Ｄ字状の部分よりも右側の部分であり、円柱状をなす部分が左軸受８３に挿通される。これにより、ＬＦローラ軸７１が左軸受８３に回転可能に挿通されている。そして、断面Ｄ字状の部分がＬＦローラギヤ８７に形成されている断面Ｄ字状の挿通孔に挿通される。これにより、ＬＦローラ軸７１の左端部にＬＦローラギヤ８７が相対回転不能に取り付けられている。すなわち、ＬＦローラギヤ８７がＬＦローラ軸７１とともに回転可能にＬＦローラ軸７１に取り付けられている。
【０１００】
ＬＦローラ軸７１の右端部には、図７などに示されるように、被係止溝９１が全周にわたって形成されている。
【０１０１】
排出ローラ軸７４は、ＬＦローラ軸７１と同じ構成であるので、排出ローラ軸７４についての説明を省略する。
＜右軸受＞
【０１０２】
右軸受８４は、樹脂からなる一体成形品である。右軸受８４は、図８，９に示されるように、軸挿通部１０１、鍔状部１０２、矩形板状部１０３、１対の係合部１０４、１対の突出部１０５およびリブ１０６を備えている。
【０１０３】
軸挿通部１０１は、円筒状をなしている。
【０１０４】
鍔状部１０２は、軸挿通部１０１の一端縁部、すなわち右軸受８４がサイドプレート８２に取り付けられた状態における軸挿通部１０１の右端縁部から周囲に張り出している。
【０１０５】
矩形板状部１０３は、鍔状部１０２の一部から軸挿通部１０１の径方向すなわち図８等において示す延出方向ＡＡに延びている。延出方向ＡＡは、右軸受８４が右軸受保持孔８８に嵌合されたときの軸線方向即ち左右方向に直交する方向である。
【０１０６】
１対の係合部１０４は、矩形板状部１０３の両側縁から軸挿通部１０１側、すなわち右軸受８４がサイドプレート８２に取り付けられた状態における左方に延びている。
【０１０７】
１対の突出部１０５は、矩形板状部１０３の両側から、図６及び図８において二点鎖線にて示す矩形板状部１０３および係合部１０４が延びる延出方向ＡＡと直交する幅方向ＢＢに突出している。
【０１０８】
リブ１０６は、矩形板状部１０３の軸挿通部１０１側の面に突出して形成されている。リブ１０６は、矩形板状部１０３が延びる延出方向ＡＡと同じ方向に延びる。矩形板状部１０３は、図６及び図８において二点鎖線にて示す方向から見た場合に略台形板状をなしている。
【０１０９】
軸挿通部１０１には、軸挿通部１０１の中心軸線を中心に１８０°離れた２つの位置に、すなわち中心軸線を中止に対称に、鍔状部１０２側の端縁から矩形状に切り欠かれた切欠部１０７が形成されている。そして、各切欠部１０７の周方向に延びる端縁の中央部から鍔状部１０２側に、係止爪１０８が鍔状部１０２を越えて延びている。各係止爪１０８の先端部には、係止突起１０９が係止爪１０８の対向方向の内側に突出して形成されている。軸係止突起１０９は、ＬＦローラ軸７１の被係止溝９１に嵌合可能な四角ブロック状をなしている。
【０１１０】
また、各係合部１０４の先端部には、プレート係止突起１１０が係合部１０４の対向方向の外側に突出して形成されている。プレート係止突起１１０は、その突出方向の下流側ほど狭くなる断面略三角形状をなしている。右軸受８４が右軸受保持孔８８に嵌合されたとき、プレート係止突起１１０は、サイドプレート８２に係合している。
＜右軸受保持孔＞
【０１１１】
右軸受保持孔８８は、図５および図６などに示されるように、被嵌合部１１１および延出部１１２を有している。
【０１１２】
被嵌合部１１１は、右軸受８４の軸挿通部１０１が嵌合される円形状に形成されている。被嵌合部１１１は、軸挿通部１０１の外径とほぼ同じ径に形成されている。
【０１１３】
延出部１１２は、被嵌合部１１１から後下方に延出している。延出部１１２は、右軸受８４の係合部１０４が係合される矩形状に形成されている。延出部１１２は、幅方向ＢＢにおいてＬＦローラ軸７１の外径よりも大きい幅を有している。なお、右軸受８４が右軸受保持孔８８に嵌合されたとき、延出部１１２は矩形板状部１０３と略平行となる。従って、延出方向ＡＡは、矩形板状部１０３の延出方向であり、延出部１１２の延出方向でもある。同様に、幅方向ＢＢは、矩形板状部１０３の延出方向ＡＡに直交する方向であり、延出部１１２の延出方向ＡＡに直交する方向でもある。
【０１１４】
また、右側のサイドプレート８２の右側面には、右軸受保持孔８８の周縁から突出するリブ状のスペーサ１１３が形成されている。スペーサ１１３の高さ、すなわちサイドプレート８２の右側面からの突出量は、サイドプレート８２の左側面とスペーサ１１３の先端との間の間隔が右軸受８４における鍔状部１０２の軸挿通部１０１側の面と係合部１０４のプレート係止突起１１０との間の間隔とほぼ同じとなるように設計されている。スペーサ１１３は、第１フレーム部１１３Ａと一対の第２フレーム部１１３Ｂと第３フレーム部１１３Ｃとを備える。第１フレーム部１１３Ａは、右側から見て略円形状をしている。一対の第２フレーム部は、第１フレーム部１１３ＡからＬＦローラ軸７１及び排出ローラ軸７４の軸線方向に垂直な延出方向ＡＡに延出している。第３フレーム部１１３Ｃは、一対の第２フレーム部１１３Ｂと連結している。右軸受保持孔９０は、スペーサ１１３に囲まれている。ＬＦローラ軸７１の右端部と排出ローラ軸７４の右端部とは、右軸受保持孔９０の各々に挿入される。鍔状部１０２は、第１フレーム部１１３Ａに当接する。被嵌合部１１１は、第１フレーム部１１３Ａの一部である。延出部１１２は、一対の第２フレーム部１１３Ｂ及び第３フレーム部１１３Ｃの一部である。
＜ＬＦローラ部材の取付け＞
【０１１５】
ＬＦローラ部材７２がサイドプレート８１，８２間に取り付けられるときには、図１０
に示されるように、ＬＦローラ軸７１の右端部がサイドプレート８２の右軸受保持孔８８の先端領域すなわち下端領域に挿入される。そして、ＬＦローラ軸７１の左端部が金属プレート８５の左軸受保持孔８６に右側から挿入される。このとき、ＬＦローラ軸７１は、右上がりに傾斜している。そして、下フレーム３２の各開口７３からＬＦローラ６２が離脱している。
【０１１６】
その後、図１１に示されるように、ＬＦローラ軸７１の右端部が延出部１１２を被嵌合部１１１に向けて移動される。ＬＦローラ軸７１の右端部が被嵌合部１１１の中央に配置されると、各ＬＦローラ６２が下フレーム３２の開口７３内に配置される。
【０１１７】
その後、図１２に示されるように、金属プレート８５の左軸受保持孔８６に、左軸受８３が取り付けられる。そして、左軸受８３に、ＬＦローラ軸７１の左端部が挿通される。左軸受８３は、金属プレート８５の左軸受保持孔８６にその左側から挿入されて取り付けられる。その後、ＬＦローラ軸７１の左軸受８３から突出した部分に、ＬＦローラギヤ８７が取り付けられる。
【０１１８】
また、図６に示されるように、右軸受８４が右軸受保持孔８８に右側から取り付けられる。具体的には、右軸受８４の軸挿通部１０１に、ＬＦローラ軸７１の右端部が挿入されつつ、右軸受保持孔８８の被嵌合部１１１に、その右側から右軸受８４の軸挿通部１０１が挿入される。また、右軸受保持孔８８の延出部１１２に、その右側から右軸受８４の各係合部１０４が挿入される。このとき、各係合部１０４のプレート係止突起１１０がスペーサ１１３の内面に当接する。これにより、各係合部１０４は、その先端が互いに近接する方向に撓んだ状態に弾性変形する。右軸受８４は、鍔状部１０２および各突出部１０５がスペーサ１１３の先端面に当接するまで右軸受保持孔８８に押し込まれる。そして、鍔状部１０２および各突出部１０５がスペーサ１１３の先端面に当接すると、係合部１０４がその弾性によって復元する。その結果、係合部１０４のプレート係止突起１１０がサイドプレート８２の左側面に係止される。これにより、軸挿通部１０１が被嵌合部１１１に嵌合するとともに、各係合部１０４が延出部１１２に係合する。以上で、サイドプレート８１，８２間へのＬＦローラ部材７２の取付けが達成される。
【０１１９】
また、右軸受８４が右軸受保持孔８８に取り付けられる過程で、各係止爪１０８の軸係止突起１０９がＬＦローラ軸７１の先端部の周面に当接する。これにより、各係止爪１０８は、その先端が互いに離間する方向に撓んだ状態に弾性変形する。そして、各軸係止突起１０９がＬＦローラ軸７１の被係止溝９１に対向すると、図１３に示されるように、各軸係止突起１０９が被係止溝９１に嵌り込み、各係止爪１０８がその弾性によって復元する。これにより、ＬＦローラ軸７１は、右軸受８４により、軸線方向に位置決めされた状態で、回転可能に保持される。
【０１２０】
なお、排出ローラ部材７５は、ＬＦローラ部材７２の場合と同様の手順で、サイドプレート８１，８２間に取り付けられる。
＜ＬＦローラ部材の取外し＞
【０１２１】
サイドプレート８１，８２間からのＬＦローラ部材７２の取外しは、取付けのときと逆の手順で行われる。
【０１２２】
すなわち、各係合部１０４の先端が互いに近接するように、各係合部１０４が弾性変形される。また、各係止爪１０８の先端が互いに離間するように、各係止爪１０８が弾性変形される。そして、各係合部１０４および各係止爪１０８が弾性変形されつつ、右軸受８４が右方に移動され、さらに各係止爪１０８が開いて軸から外れることで、右軸受８４が右軸受保持孔８８から取り外される。
【０１２３】
また、ＬＦローラ軸７１の左端部から、ＬＦローラギヤ８７が取り外される。その後、左軸受保持孔８６から、左軸受８３が取り外される。
【０１２４】
次いで、ＬＦローラ軸７１の右端部が被嵌合部１１１から延出部１１２に移動される。ＬＦローラ軸７１の右端部が延出部１１２の先端部に配置されると、ＬＦローラ軸７１が右上がりに傾斜し、下フレーム３２の各開口７３からＬＦローラ６２が離脱する。そして、ＬＦローラ軸７１が少し右方に移動されて、ＬＦローラ軸７１の左端部が左軸受保持孔８６から離脱される。その後、ＬＦローラ軸７１の右端部が延出部１１２から離脱される。これにより、サイドプレート８１，８２間からのＬＦローラ部材７２の取外しが達成される。
【０１２５】
なお、排出ローラ部材７５は、ＬＦローラ部材７２の場合と同様の手順で、サイドプレート８１，８２間から取り外される。
＜作用効果＞
【０１２６】
以上のように、シートを搬送するためのＬＦローラ部材７２は、ＬＦローラ軸７１およびＬＦローラ軸７１に取り付けられたＬＦローラ６２を有している。シートの搬送をガイドする下フレーム３２には、ＬＦローラ６２が収容される開口７３が形成されている。ＬＦローラ６２が開口７３に収容された状態で、ＬＦローラ６２の周面の一部がガイド面７６から突出する。
【０１２７】
下フレーム３２に対して右側には、サイドプレート８２が設けられている。サイドプレート８２には、ＬＦローラ軸７１の軸線方向と直交する延出方向ＡＡに延びる右軸受保持孔８８が形成されている。右軸受保持孔８８には、右軸受８４が保持されている。ＬＦローラ軸７１の一方側の端部は、右軸受８４に回転可能に保持される。
【０１２８】
右軸受保持孔８８が軸線方向と直交する延出方向ＡＡに延びているので、右軸受保持孔８８から右軸受８４が取り外された状態で、ＬＦローラ軸７１を右軸受保持孔８８内で移動させることができる。そして、ＬＦローラ軸７１を右軸受保持孔８８内で移動させることにより、ＬＦローラ部材７２のＬＦローラ６２を開口７３に対して収容および離脱させることができる。そのため、ＬＦローラ部材７２をサイドプレート８２に対して取り外すときに、サイドプレート８２を下フレーム３２に対して移動させる必要性を低減できる。よって、サイドプレート８２に対するＬＦローラ部材７２の取り外し作業性に優れている。
【０１２９】
また、右軸受保持孔８８及び右軸受保持孔９０は、スペーサ１１３、すなわち第１フレーム部１１３Ａと一対の第２フレーム部１１３Ｂと第３フレーム部１１３Ｃとに囲まれている。よって、右軸受保持孔８８及び右軸受保持孔９０は、第３フレーム部１１３Ｃに対応する部分が切り欠かれたような溝形状ではなく、周囲を囲まれた孔形状である。従来、軸を軸受保持孔に通す際、あらかじめ軸に軸受を取り付けてから軸を軸受保持孔に通すことがあった。この場合、軸受保持孔は、溝形状で設計する必要があり、本実施形態における右軸受保持孔８８及び右軸受保持孔９０のような孔形状で設計することが出来ず、設計自由度が低かった。しかし、本実施形態においては、右軸受８４自体がサイドプレート８２に係合するための係合部１０４を備えており、ＬＦローラ軸７１及び排出ローラ軸７４を各々右軸受保持孔８８及び右軸受保持孔９０に通した後で、ＬＦローラ軸７１及び排出ローラ軸７４に各々右軸受８４を取り付けることが出来る。よって、右軸受保持孔は、溝形状であっても孔形状であってもよいため、設計自由度を顕著に向上させることが出来る。また、ＬＦローラ部材７２及び排出ローラ部材７５の着脱を顕著に簡略化することが出来る。
【０１３０】
右軸受８４は、ＬＦローラ軸７１が挿通される筒状の軸挿通部１０１と、右軸受保持孔８８に係合する係合部１０４とを備えている。また、右軸受保持孔８８は、軸挿通部１０１が嵌合される被嵌合部１１１と、係合部１０４が係合される延出部１１２とを備えている。そして、延出部１１２は、被嵌合部１１１から軸線方向と直交する延出方向ＡＡに延び、その延出方向ＡＡと直交する幅方向ＢＢにＬＦローラ軸７１の直径よりも大きい幅を有している。
【０１３１】
これにより、右軸受保持孔８８から右軸受８４が取り外された状態で、ＬＦローラ部材７２のＬＦローラ軸７１を被嵌合部１１１から延出部１１２に進入させることができるので、ＬＦローラ軸７１を軸線方向と直交する延出方向ＡＡに確実に移動させることができる。
【０１３２】
右軸受８４は、軸挿通部１０１の周囲に張り出す鍔状部１０２をさらに備えている。
【０１３３】
鍔状部１０２がサイドプレート８２における右軸受保持孔８８の被嵌合部１１１の外周に右側から当接することにより、右軸受８４が左側に移動することを規制できる。
【０１３４】
また、右軸受８４は、右軸受８４が右軸受保持孔８８に嵌合されたときに係合部１０４から延出部１１２の延出方向ＡＡと直交する幅方向ＢＢに突出している突出部１０５をさらに備えている。
【０１３５】
突出部１０５がサイドプレート８２における右軸受保持孔８８の延出部１１２の外周に右側から当接することにより、右軸受８４が左側に移動することを規制できる。
【０１３６】
右軸受８４には、右軸受８４が右軸受保持孔８８に嵌合されたとき、矩形板状部１０３から左側に突出し、延出部１１２の延出方向ＡＡに延びる板状のリブ１０６が形成されている。
【０１３７】
リブ１０６が形成されていることにより、係合部１０４の強度を増すことができる。
【０１３８】
また、右軸受８４は、軸挿通部１０１と係合部１０４とが一体に成形された一体成形品である。
【０１３９】
これにより、右軸受８４を組み立てる手間が不要である。また、部品点数を低減することができる。
【０１４０】
ＬＦローラ軸７１の周面には、被係止溝９１が全周にわたって形成されている。右軸受８４は、被係止溝９１に係止する係止爪１０８を備えている。
【０１４１】
係止爪１０８を被係止溝９１に係止させることにより、ＬＦローラ部材７２のＬＦローラ軸７１を右軸受８４に対して軸線方向に位置決めすることができる。
【０１４２】
また、下フレーム３２とサイドプレート８１，８２とは、一体に成形されている。
【０１４３】
これにより、部品点数を削減することができる。また、下フレーム３２およびサイドプレート８１，８２の強度を増すことができる。
＜変形例＞
【０１４４】
以上、本発明の一実施形態について説明したが、本発明は、他の形態で実施することもできる。
【０１４５】
たとえば、前述の説明では、下フレーム３２および１対のサイドプレート８１，８２が一体的に成形されているとしたが、下フレーム３２および１対のサイドプレート８１，８２がそれぞれ別部材に形成されて、下フレーム３２がサイドプレート８１，８２に結合されていてもよい。
【０１４６】
また、前述の実施形態では、イメージスキャナ１を取り上げたが、本発明に係るシート搬送装置は、イメージスキャナ１以外に、プリンタや複写機に代表される画像形成装置など、シートを搬送する機構を必要とする装置に広く適用することができる。
【０１４７】
その他、前述の構成には、特許請求の範囲に記載された事項の範囲で種々の設計変更を施すことが可能である。
【符号の説明】
【０１４８】
３２    下フレーム
４３    ガイド面
６２    ＬＦローラ
６５    排出ローラ
７１    ＬＦローラ軸
７２    ＬＦローラ部材
７３    開口
７４    排出ローラ軸
７５    排出ローラ部材
７６    ガイド面
７７    開口
８２    サイドプレート
８４    右軸受
８８    右軸受保持孔
８９    右軸受
９０    右軸受保持孔
９１    被係止溝
１０１  軸挿通部
１０２  鍔状部
１０４  係合部
１０５  突出部
１０６  リブ
１０８  係止爪
１１１  被嵌合部
１１２  延出部
【図１】
2013137536.tif 000003
【図２】
2013137536.tif 000004
【図３】
2013137536.tif 000005
【図４】
2013137536.tif 000006
【図５】
2013137536.tif 000007
【図６】
2013137536.tif 000008
【図７】
2013137536.tif 000009
【図８】
2013137536.tif 000010
【図９】
2013137536.tif 000011
【図１０】
2013137536.tif 000012
【図１１】
2013137536.tif 000013
【図１２】
2013137536.tif 000014
【図１３】
2013137536.tif 000015